(57)【要約】【課題】突出した状態にしたり平らな状態にしたりすることが可能な滑り止め部材が存在する多機能携帯電話のカバーを提供する。【解決手段】カバー本体１２の裏面側に設けられた凹部１４の両端部にそれぞれ沿った形で、一対のガイドレール１６が設置され、凹部１４内にアーム材２２、中間材２４及びスライド材２６が配置される。基端側がカバー本体１２に回動可能に支持されるアーム材２２は、カバー本体１２と平行となる倒立姿勢およびカバー本体１２から先端側が立ち上がる起立姿勢とを採ることが可能となる。アーム材２２の先端側に中間材２４の基端側が回動可能に繋がり、中間材２４の先端側にスライド材２６の基端側が回動可能に繋がる。コイルバネ３０および係合ピン３１がカバー本体１２に弾性変形可能に設けられ、アーム材２２が起立姿勢を採った際に、この係合ピン３１がスライド材２６の係合部２８に係り合ってスライド材２６が固定される。【選択図】図４
2013207458.tif 000002
【特許請求の範囲】
【請求項１】
情報を外部の機器との間で送受信する多機能携帯電話を覆うカバー本体と、
基端側がカバー本体に回動可能に支持されて、カバー本体と平行となる倒立姿勢およびカバー本体から先端側が立ち上がる起立姿勢とを採り得るアーム材と、
アーム材の先端側に基端側が回動可能に繋がる中間材と、
中間材の先端側に回動可能に繋がるとともに係合部を有し、アーム材の先端側の旋回動に合わせた中間材の動きに伴いスライドするスライド材と、
カバー本体に弾性変形可能に設けられ、アーム材の起立姿勢時に突出してスライド材の係合部に係り合うストッパ片と、
を含む多機能携帯電話のカバー。
【請求項２】
アーム材の倒立姿勢時にアーム材、中間材およびスライド材が填り込む凹部が、カバー本体に形成された請求項１記載の多機能携帯電話のカバー。
【請求項３】
カバー本体にガイドレールが設置され、スライド材がこのガイドレールに案内されつつスライドする請求項１または請求項２に記載の多機能携帯電話のカバー。
【請求項４】
情報を外部の機器との間で送受信する多機能携帯電話を覆うカバー本体と、
基端側がカバー本体に支持されて、カバー本体から突出する突出状態とカバー本体から突出していない非突出状態とを採り得る突出部材と、
カバー本体に弾性変形可能に設けられ、必要時に突出部材に係り合って突出部材の状態を維持しうるストッパ部と、
を含む多機能携帯電話のカバー。
【請求項５】
多機能携帯電話の裏面に貼り付け可能な貼付体と、
基端側が貼付体に回動可能に支持されて、貼付体と平行となる倒立姿勢および貼付体から先端側が立ち上がる起立姿勢とを採り得るアーム材と、
アーム材の先端側に基端側が回動可能に繋がる中間材と、
中間材の先端側に回動可能に繋がるとともに係合部を有し、アーム材の先端側の旋回動に合わせた中間材の動きに伴いスライドするスライド材と、
貼付体に弾性変形可能に設けられ、アーム材の起立姿勢時に突出してスライド材の係合部に係り合うストッパ片と、
を含む多機能携帯電話の滑止部材。
【請求項６】
アーム材の倒立姿勢時にアーム材、中間材およびスライド材が填り込む凹部が、貼付体に形成された請求項５記載の多機能携帯電話の滑止部材。
【請求項７】
貼付体にガイドレールが設置され、スライド材がこのガイドレールに案内されつつスライドする請求項５または請求項６に記載の多機能携帯電話の滑止部材。
【請求項８】
多機能携帯電話の裏面に貼り付け可能な貼付体と、
基端側が貼付体に支持されて、貼付体から突出する突出状態と貼付体から突出していない非突出状態とを採り得る突出部材と、
貼付体に弾性変形可能に設けられ、必要時に突出部材に係り合って突出部材の状態を維持しうるストッパ部と、
を含む多機能携帯電話の滑止部材。
【発明の詳細な説明】
【技術分野】
【０００１】
本発明は、突出した状態にしたり平らな状態にしたりすることが可能な滑り止め部分が存在する多機能携帯電話のカバーおよび多機能携帯電話の滑止部材に関し、iPhone（登録商標）等のスマートフォンに好適なものである。
【背景技術】
【０００２】
近年の携帯電話の発展に伴い、電話やメールの機能の他にＰＤＡ（携帯情報端末）機能を有した多機能携帯電話が用いられるようになってきた。この多機能携帯電話は、ディスプレイで表示する情報が増大するのに伴い、従来の携帯電話と比較してディスプレイの大型化が進み、これに合わせてより大きな筐体を有した多機能携帯電話が発表されるようになった。
このような状況から、多機能携帯電話においても一方の手でのみ保持し、他方の手で操作をするのに伴い片手で保持する必要があるものの保持しにくく、手から滑りやすいという欠点があった。すなわち、安定的に保持することが困難で、不安定な保持状態での多機能携帯電話の操作を強いられる事になり、多機能携帯電話を手から滑り落としてしまいかねないという問題が重要視されるようになった。
【０００３】
これに対して、下記の特許文献１〜６には共に、携帯電話の滑り止めに関する技術が開示されている。この内の特許文献１，２には、細かい凹凸が携帯電話の側部等に設けられた技術が開示され、特許文献３には、携帯電話のホルダに対してクリップを着脱可能に取り付ける技術が開示されている。また、特許文献４には、滑り止めにもなる緩衝材が携帯電話に取り付けられる技術が開示され、特許文献５には、リング状の滑り止め部材が携帯電話に設けられた技術が開示され、特許文献６には、滑り止め部材が携帯電話に貼り付けられた技術が開示されている。
【先行技術文献】
【特許文献】
【０００４】
【特許文献１】特開２００１−２４３４１号公報
【特許文献２】特開２００１−７５５３号公報
【特許文献３】特開２０００−２２３４１号公報
【特許文献４】特開平８−９４４８号公報
【特許文献３】実用新案登録第３１６８９１９号公報
【特許文献４】実用新案登録第３０６３６５５号公報
【発明の概要】
【発明が解決しようとする課題】
【０００５】
しかし、いずれの特許文献にも、使用時と非使用時とで形状等を切り換える構造のものはなかった。つまり、使用時において確実に滑り止めできるようにするためには、手に係り合うように携帯電話から突出した構造にすることが考えられる。ただし、非使用時には上着のポケット等に入れ難くなるために、平らで薄いことが求められるが、携帯電話から滑り止め部分が常時突出した構造では、ポケットに入らないかあるいは入れにくくなる欠点があった。
【０００６】
そして、上記のいずれの特許文献にも、携帯電話を含むスマートフォンに、突出したり平らな状態にしたりすることが可能な滑り止め部材を有した技術は開示されていなかった。
本発明は上記背景に鑑みてなされたもので、突出した状態にしたり平らな状態にしたりすることが可能な滑り止め部分が存在する多機能携帯電話のカバーおよび多機能携帯電話の滑止部材を提供することを目的とする。
【課題を解決するための手段】
【０００７】
上記課題を解決した請求項１記載の発明は、情報を外部の機器との間で送受信する多機能携帯電話を覆うカバー本体と、
基端側がカバー本体に回動可能に支持されて、カバー本体と平行となる倒立姿勢およびカバー本体から先端側が立ち上がる起立姿勢とを採り得るアーム材と、
アーム材の先端側に基端側が回動可能に繋がる中間材と、
中間材の先端側に回動可能に繋がるとともに係合部を有し、アーム材の先端側の旋回動に合わせた中間材の動きに伴いスライドするスライド材と、
カバー本体に弾性変形可能に設けられ、アーム材の起立姿勢時に突出してスライド材の係合部に係り合うストッパ片と、
を含む多機能携帯電話のカバーである。
【０００８】
請求項１に係る多機能携帯電話のカバーによれば、情報を外部の機器との間で送受信する多機能携帯電話をカバー本体が覆い、このカバー本体にアーム材の基端側が回動可能に支持され、このアーム材がカバー本体と平行となる倒立姿勢およびカバー本体から先端側が立ち上がる起立姿勢とを採る。また、アーム材の先端側に基端側が回動可能に繋がる中間材および、この中間材の先端側に回動可能に繋がるスライド材が、アーム材の先端側の旋回動に合わせて移動するが、カバー本体に弾性変形可能に設けられたストッパ片が、アーム材の起立姿勢時に突出してスライド材の係合部に係り合うようになるので、カバー本体と平行な倒立姿勢を採る他、この起立姿勢でアーム材、中間材およびスライド材が位置決めされる。
【０００９】
以上より、本請求項の多機能携帯電話のカバーによれば、アーム材が倒立姿勢および起立姿勢をとり、特に起立姿勢時にアーム材および中間材が、カバー本体に対して突出して滑り止めとなる他、倒立姿勢時にカバー本体に対して寝た状態になるのに伴って平らで薄い状態になり、上着のポケット等に容易に入れたりすることが可能となる。
【００１０】
請求項２の発明は、アーム材の倒立姿勢時に、アーム材、中間材およびスライド材が填り込む凹部がカバー本体に形成された請求項１記載の多機能携帯電話のカバーである。
この凹部の存在により、アーム材の倒立姿勢時において、アーム材、中間材およびスライド材がカバー本体から突出しないのに伴って、カバー本体がより平らで滑らかな状態になる。
【００１１】
請求項３の発明は、カバー本体にガイドレールが設置され、スライド材がこのガイドレールに案内されつつスライドする請求項１または請求項２に記載の多機能携帯電話のカバーである。
カバー本体に設置されたガイドレールによりスライド材が確実に案内されつつスライドするようになり、請求項１の発明のより確実な実施が可能になる。
【００１２】
請求項４記載の発明は、情報を外部の機器との間で送受信する多機能携帯電話を覆うカバー本体と、
基端側がカバー本体に支持されて、カバー本体から突出する突出状態とカバー本体から突出していない非突出状態とを採り得る突出部材と、
カバー本体に弾性変形可能に設けられ、必要時に突出部材に係り合って突出部材の状態を維持しうるストッパ部と、
を含む多機能携帯電話のカバーである。
【００１３】
本請求項の多機能携帯電話のカバーによれば、突出部材が突出状態および非突出状態をとることで、突出部材が請求項１と同様に、カバー本体に対して突出して滑り止めとなる他、カバー本体に対して突出していない状態になることで、平らで薄い状態になって上着のポケット等に容易に入れたりすることが可能となる。
【００１４】
請求項５記載の発明は、多機能携帯電話の裏面に貼り付け可能な貼付体と、
基端側が貼付体に回動可能に支持されて、貼付体と平行となる倒立姿勢および貼付体から先端側が立ち上がる起立姿勢とを採り得るアーム材と、
アーム材の先端側に基端側が回動可能に繋がる中間材と、
中間材の先端側に回動可能に繋がるとともに係合部を有し、アーム材の先端側の旋回動に合わせた中間材の動きに伴いスライドするスライド材と、
貼付体に弾性変形可能に設けられ、アーム材の起立姿勢時に突出してスライド材の係合部に係り合うストッパ片と、
を含む多機能携帯電話の滑止部材である。
【００１５】
請求項５に係る多機能携帯電話の滑止部材によれば、多機能携帯電話の裏面に貼り付け可能な貼付体に、回動可能にアーム材の基端側が支持され、このアーム材が貼付体と平行となる倒立姿勢および貼付体から先端側が立ち上がる起立姿勢とを採る。また、アーム材の先端側に基端側が回動可能に繋がる中間材および、この中間材の先端側に回動可能に繋がるスライド材が、アーム材の先端側の旋回動に合わせて移動するが、貼付体に弾性変形可能に設けられたストッパ片が、アーム材の起立姿勢時に突出してスライド材の係合部に係り合うようになり、貼付体と平行な倒立姿勢とこの起立姿勢とでアーム材およびスライド材が位置決めされる。
【００１６】
以上より、本請求項の多機能携帯電話の滑止部材によれば、アーム材が倒立姿勢および起立姿勢をとり、特に起立姿勢時にアーム材および中間材が、貼付体が貼り付けられた多機能携帯電話に対して突出して滑り止めとなる他、同じく多機能携帯電話に対して寝た状態になるのに伴って平らで薄い状態になり、多機能携帯電話が上着のポケット等に容易に入れたりすることが可能となる。
【００１７】
請求項６の発明は、アーム材の倒立姿勢時に、アーム材、中間材およびスライド材が填り込む凹部が貼付体に形成された請求項５記載の多機能携帯電話の滑止部材である。
この凹部の存在により、アーム材の倒立姿勢時においてアーム材、中間材およびスライド材が貼付体から突出しないのに伴って、貼付体がより平らで滑らかな状態になる。
【００１８】
請求項７の発明は、貼付体にガイドレールが設置され、スライド材がこのガイドレールに案内されつつスライドする請求項５または請求項６に記載の多機能携帯電話の滑止部材である。
貼付体に設置されたガイドレールによりスライド材が確実に案内されつつスライドするようになり、請求項５の発明のより確実な実施が可能になる。
【００１９】
請求項８記載の発明は、多機能携帯電話の裏面に貼り付け可能な貼付体と、
基端側が貼付体に支持されて、貼付体から突出する突出状態と貼付体から突出していない非突出状態とを採り得る突出部材と、
貼付体に弾性変形可能に設けられ、必要時に突出部材に係り合って突出部材の状態を維持しうるストッパ部と、
を含む多機能携帯電話の滑止部材である。
【００２０】
本請求項の多機能携帯電話の滑止部材によれば、突出部材が突出状態および非突出状態をとることで、突出部材が請求項５と同様に、多機能携帯電話に対して突出して滑り止めとなる他、多機能携帯電話に対して突出していない状態になることで、多機能携帯電話が平らで薄い状態になって上着のポケット等に容易に入れたりすることが可能となる。
【発明の効果】
【００２１】
本発明によれば、突出した状態にしたり平らな状態にしたりすることが可能な滑り止め部材が存在する多機能携帯電話のカバーおよび多機能携帯電話の滑止部材が提供されるという優れた効果を奏する。
【図面の簡単な説明】
【００２２】
【図１】本発明の一実施の形態に係る多機能携帯電話の斜視図である。
【図２】本発明の一実施の形態に係る多機能携帯電話及びそのカバーの裏面側から見た斜視図である。
【図３】本発明の一実施の形態に係るカバーのアーム材の倒立姿勢時を示す図であって、（Ａ）は底面図であり、（Ｂ）は断面図である。
【図４】本発明の一実施の形態に係るカバーのアーム材の起立姿勢時を示す図であって、（Ａ）は底面図であり、（Ｂ）は断面図である。
【図５】図４の５−５矢視線拡大断面図である。
【図６】本発明の一実施の形態に係る滑止部材を示す断面図であって、多機能携帯電話への取付を示す図である。
【図７】本発明の一実施の形態に係る滑止部材を多機能携帯電話に張り付けた状態を示す図である。
【発明を実施するための形態】
【００２３】
本発明に係る多機能携帯電話のカバーの一実施の形態を、以下に図面を参照しつつ説明する。
図１に示すように、本実施の形態に適用される多機能携帯電話１０は、例えばアップル社のiPhone（登録商標）のように、約５８ｍｍ×１１５ｍｍの大きさで１３０ｇから１４０ｇの重量を有したようなものである。このような多機能携帯電話１０は、同様のスマートフォンの一般的なスタイルに今後なっていくと思われるが、このようなサイズや重量の携帯電話を片手で持ちつつ操作を行おうとすると、場合によっては保持しづらく手から滑り落ちることも考えられる。
【００２４】
この一方、このような多機能携帯電話１０は、戸外に設置されたアンテナ等を介して会話を含めた情報を外部の機器との間で送受信することになり、この直方体状の多機能携帯電話１０の表面側には、操作部分を兼ねたディスプレイ１０Ａやスイッチ用ボタン１０Ｂ等が配置されている。そして、この多機能携帯電話１０を覆う図２に示すようなカバー１１が存在し、このカバー１１の合成樹脂等の材料により形成された本体部分をカバー本体１２が構成している。
【００２５】
これに対して、図２に示すように、多機能携帯電話１０及びカバー本体１２の裏面側には、カバー本体１２を形成する面に対して一段低く、且つ、カバー本体１２の四辺と平行な長方形状に形成された凹部１４が設けられている。さらに、図３および図４に示すように、このカバー本体１２には、この凹部１４の両端部にそれぞれ沿った形で、金属製あるいは合成樹脂製の一対のガイドレール１６が設置されている。
【００２６】
また、凹部１４内には、それぞれ長方形状でほぼ同一の幅寸法を有した合成樹脂製のアーム材２２、中間材２４及びスライド材２６が配置されている。このアーム材２２の基端側には、凹部１４の端部内にまで伸びる金属製の支持軸２１が埋め込まれていて、このアーム材２２の基端側がカバー本体１２に回動可能に支持されている。このため、このアーム材２２は、図３に示すカバー本体１２と平行となる倒立姿勢および、図４に示すカバー本体１２から先端側が立ち上がる起立姿勢とを採ることが可能となっている。
【００２７】
さらに、アーム材２２の先端側には、中間材２４の基端側内にまで伸びる金属製の支持軸２３が埋め込まれていて、このアーム材２２の先端側に中間材２４の基端側が回動可能に繋がる構造になっている。そして、中間材２４の先端側には、スライド材２６の基端側内にまで伸びる金属製の支持軸２５が埋め込まれていて、この中間材２４の先端側にスライド材２６の基端側が回動可能に繋がる構造になっている。
【００２８】
他方、このスライド材２６には、図５に示すように、幅方向に広がる一対の突出片２６Ａが設けられていて、これら突出片２６Ａがガイドレール１６とそれぞれ係り合う構造とされている。このため、アーム材２２の先端側の旋回動に合わせた中間材２４の変移に伴ってスライド材２６が移動するが、この際にスライド材２６がこのガイドレール１６に案内されつつ確実にスライドするようになる。
【００２９】
また、このスライド材２６内には、正方形に形成された貫通穴とされる係合部２８が設けられている。これに対応して凹部１４の中程の位置には、下端がカバー本体１２に埋め込まれたコイルバネ３０が配置されており、このコイルバネ３０の上端が係合ピン３１内に埋め込まれる形で、コイルバネ３０の上端に係合ピン３１が取り付けられている。従って、コイルバネ３０および係合ピン３１が、カバー本体１２に弾性変形可能に設けられストッパ片とされる。そして、この係合ピン３１は、円筒形或いは四角筒形で係合部２８に嵌まり込む大きさとされていて、アーム材２２が起立姿勢を採った際に、この係合ピン３１がスライドしたスライド材２６の係合部２８に係り合ってスライド材２６が固定されることになる。
【００３０】
以上より、図３に示すアーム材２２の倒立姿勢時には、アーム材２２、中間材２４およびスライド材２６がカバー本体１２に形成された凹部１４内に単に填まり込んで位置しているものの、アーム材２２が回転動して図４に示す起立姿勢をアーム材２２が採った時には、上記のように係合ピン３１が係合部２８に係り合ってスライド材２６が一旦固定されることになる。なお、起立姿勢から倒立姿勢に戻す際には、爪先等で係合ピン３１の係合部２８への係り合いを解除することが考えられる。
【００３１】
次に、本実施の形態に係る多機能携帯電話１０のカバー１１の作用を以下に説明する。
本実施の形態に係るカバー１１によれば、会話を含めた情報を外部の機器との間で送受信する多機能携帯電話１０をカバー本体１２が覆い、このカバー本体１２に回動可能にアーム材２２の基端側が支持され、このアーム材２２がカバー本体１２と平行となる倒立姿勢およびカバー本体１２から先端側が立ち上がる起立姿勢とを採るようになる。
【００３２】
また、アーム材２２の先端側に基端側が回動可能に繋がる中間材２４および、この中間材２４の先端側に回動可能に繋がるスライド材２６が、アーム材２２の先端側の旋回動に合わせて移動するが、この際、カバー本体１２に設置されたガイドレール１６にスライド材２６が案内されつつ移動することになるから、スライド材２６がこのガイドレール１６により確実に案内されつつスライドするようになる。
【００３３】
さらに、カバー本体１２に弾性変形可能に設けられたストッパ片である係合ピン３１が、アーム材２２の起立姿勢時に突出してスライド材２６の係合部２８に係り合うようになるので、カバー本体１２と平行な倒立姿勢を採る他、この起立姿勢でアーム材２２、中間材２４およびスライド材２６が位置決めされる。
【００３４】
以上より、本実施の形態の多機能携帯電話１０によれば、アーム材２２が倒立姿勢および起立姿勢をとり、特に起立姿勢時にアーム材２２および中間材２４が、カバー本体１２に対して突出して滑り止めとなる他、倒立姿勢時にカバー本体１２に対して寝た状態になるのに伴って平らで薄い状態になり、上着のポケット等に容易に入れたりすることが可能となる。
【００３５】
ただし、本実施の形態では、アーム材２２の倒立姿勢時に、アーム材２２、中間材２４およびスライド材２６が填り込む凹部１４がカバー本体１２に形成されていることから、アーム材２２の倒立姿勢時において、アーム材２２、中間材２４およびスライド材２６がカバー本体１２から突出しないようになるので、これらの部材が存在していても、多機能携帯電話１０の平らで滑らかな状態が維持されることになる。
【００３６】
次に、本発明に係る多機能携帯電話の滑止部材の一実施の形態を、以下に図面を参照しつつ説明する。なお、上記実施の形態と同一の構造部分は同一の符号を付して、重複した説明を省略する。
本実施の形態は、前記した実施の形態とほぼ同一構造とされているが、図６に示すように、本実施の形態では、多機能携帯電話１０に滑り止め用の構造を直接設けるのではなく、以下に説明する滑止部材４０を多機能携帯電話１０の背面側に貼り付ける構造とされている。
【００３７】
本実施の形態では、図６に示すように、剥離紙４６を予め貼り付けた粘着層４４が貼付体４２の裏面側に設けられている。この貼付体４２が長方形且つシート状に合成樹脂製で形成された本体部分とされている。
この貼付体４２の表面側には、周囲に対して一段低く形成された凹部１４が、長方形状に設けられている。そして、貼付体４２の長手方向と平行であって凹部１４の両端に沿った形で、金属製あるいは合成樹脂製の一対のガイドレール１６が貼付体４２に設置されている。つまり、本実施の形態の貼付体４２は、前記実施の形態のカバー本体１２と同様の構造とされている。
【００３８】
また、凹部１４内には、それぞれ長方形状で同一の幅寸法を有しただけでなく、前記実施の形態と同様な構造とされたアーム材２２、中間材２４及びスライド材２６が配置されている。さらに、前記実施の形態と同様に、ガイドレール１６、係合部２８、コイルバネ３０、係合ピン３１等も存在している。
【００３９】
以上より、多機能携帯電話１０の裏面側に、剥離紙４６を剥がして図７に示すように粘着層４４により貼付体４２を貼り付けることにより、本実施の形態の滑止部材４０は完成するようになる。これに伴い、貼付体４２に対して突出して滑り止めとなる他、倒立姿勢時に貼付体４２に対して寝た状態になるのに伴って平らで薄い状態になり、上着のポケット等に容易に入れたりすることが可能となる前記実施の形態と同様な作用効果を奏することになる。
【００４０】
次に、本発明に係る多機能携帯電話のカバーおよび多機能携帯電話の滑止部材の他の実施の形態を、以下に図面を参照しつつ説明する。なお、上述の実施の形態と同一の構造部分は同一の符号を付して、重複した説明を省略する。
本実施の形態では、カバー本体１２或いは貼付体４２に図示しない突出部材の基端側が支持されて、カバー本体１２等から突出する突出状態とカバー本体１２等から突出していない非突出状態とをこの突出部材が採り得るようになっている。
【００４１】
また、カバー本体１２等に弾性変形可能に設けられた図示しないストッパ部が、必要時に突出部材に係り合って突出部材の状態を維持することで、カバー本体１２或いは貼付体４２に対して突出して滑り止めとなる他、非突出状態時にカバー本体１２或いは貼付体４２に対して突出していない状態になる。これに伴って平らで薄い状態になり、上着のポケット等に容易に入れたりすることが可能となる前記実施の形態と同様な作用効果を奏することになる。
【００４２】
以上より、本実施の形態における突出部材が、アーム材、中間材およびスライド材と同様の機能を奏し、同じくストッパ部が、ストッパ片と同様の機能を奏した、オルタネイトスイッチ式のロック機構を構成して、倒立姿勢に対応する非突出状態と起立姿勢に対応する突出状態とを採るようになる。
【００４３】
なお、上記実施の形態では、アーム材２２、中間材２４及びスライド材２６がそれぞれ分離した構造とされ、金属製の支持軸でそれぞれ連結された構造とされているものの、これら支持軸を合成樹脂材料により形成してもよく、また、アーム材２２、中間材２４及びスライド材２６を連結してセルフヒンジ構造によってこれらの間を折り曲げ可能にしても良い。他方、上記実施の形態では、ガイドレールを用いたり、凹部を設けたりした構造が採用されているが、これらは無くとも良い。
【００４４】
以上、本発明に係る実施の形態を説明したが、本発明は前述の実施の形態に限定されるものではなく、本発明の趣旨を逸脱しない範囲で種々変形して実施することができる。
【産業上の利用可能性】
【００４５】
本発明は、スマートフォンである多機能携帯電話だけでなく、さまざまな種類の携帯電話で適用可能となる。
【符号の説明】
【００４６】
１０    多機能携帯電話
１１    カバー
１２    カバー本体
１４    凹部
１６    ガイドレール
２２    アーム材
２４    中間材
２６    スライド材
２８    係合部
３０    コイルバネ（ストッパ片）
３１    係合ピン（ストッパ片）
４０    滑止部材
４２    貼付体
【図１】
2013207458.tif 000003
【図２】
2013207458.tif 000004
【図３】
2013207458.tif 000005
【図４】
2013207458.tif 000006
【図５】
2013207458.tif 000007
【図６】
2013207458.tif 000008
【図７】
2013207458.tif 000009